(57)【要約】【課題】  釣糸屑を簡単に収納することができる糸屑収納ポケットを提供する。【解決手段】  糸屑収納ポケット(10)は、釣用衣服(60)の表面に開口(21)を有するポケット(20)と、  前記ポケット(20)の内部に配置し、かつ釣糸屑を付着可能な糸屑付着面(31)を有する糸屑付着シート(30)と、を備える。  前記糸屑付着シート(30)の一端側は前記ポケット(20)の開口(21)付近に固定する。前記糸屑付着シート(30)の他端側は反転して前記ポケット(20)の開口(21)から外へ引っ張り出すことを可能とするように形成する。釣糸屑を前記糸屑付着面(31)へ簡単に付着させてから、前記糸屑付着シート(30)をポケット(20)の内部へ簡単に戻すことが可能である。【選択図】  図１
2015010306.tif 000002
【特許請求の範囲】
【請求項１】
釣用衣服の表面に開口を有するポケットと、  前記ポケットの内部に配置し、かつ釣糸屑を付着可能な糸屑付着面を有する糸屑付着シートと、を備えた糸屑収納ポケットであって、
前記糸屑付着シートの一端側を前記ポケットの開口付近に固定し、前記糸屑付着シートの他端側を反転して前記ポケットの開口から外へ引っ張り出すことを可能とするように形成した糸屑収納ポケット。
【請求項２】
前記糸屑付着シートは、前記糸屑付着面が前記ポケットの内面と対向するように配置した請求項１に記載の糸屑収納ポケット。
【請求項３】
釣用衣服の表面に開口を有するポケットと、  前記ポケットの内部に配置し、かつ釣糸屑を付着可能な糸屑付着面を有する糸屑付着シートと、を備えた糸屑収納ポケットであって、
前記糸屑付着シートの一端側を前記ポケットの開口付近に固定し、前記糸屑付着面が前記ポケットの内面と対向するように配置した糸屑収納ポケット。
【請求項４】
前記糸屑付着シートは、第一の折返し片と第二の折返し片とに折り返して重ね合わせた状態で前記ポケットの内部に配置するとともに、前記第一の折返し片の一端側を前記ポケットの開口付近に固定し、前記糸屑付着面を前記第二の折返し片における重ね合わせ面に設けた請求項２に記載の糸屑収納ポケット。
【請求項５】
前記糸屑付着シートは、前記第二の折返し片を前記ポケットの内面と対向する位置になるように折り曲げて配置した請求項４に記載の糸屑収納ポケット。
【請求項６】
前記第一の折返し片における重ね合わせ面に、前記第二の折返し片の糸屑付着面に対して着脱可能な貼付面を配置した請求項４または請求項５のいずれかに記載の糸屑収納ポケット。
【請求項７】
前記糸屑付着面を、前記第一の折返し片における重ね合わせ面に配置した請求項４または請求項５のいずれかに記載の糸屑収納ポケット。
【請求項８】
前記糸屑付着面は、雄側の面ファスナーとし、前記貼付面は、雌側の面ファスナーとした請求項７に記載の糸屑収納ポケット。
【発明の詳細な説明】
【技術分野】
【０００１】
本発明は、不要となった釣糸屑などのゴミを収納するため、ウェアのポケットに対して備えた糸屑収納ポケットに関する。
【背景技術】
【０００２】
釣人が魚釣りする際、絡まった釣り糸を元通りにしたり、仕掛けの交換をしたりすることによって、釣糸屑が発生する。  釣糸屑を釣場に捨てるのは、自然環境保全の観点から好ましくない。
発生した釣糸屑は、ある程度の長さになるとカールして手に絡まってしまうことがあり、こうした場合には釣り人の手から離れにくくなる。そもそも釣糸屑自体が軽いため、濡れた手に付着してしまうこともあり、屑入れを持参していたとしても、捨てる作業が厄介である場合も多い。
【０００３】
特許文献１には、釣糸屑を簡単に一時的に収納して保持するための釣糸屑入れ容器が提案されている。この釣糸屑入れ容器は、釣り人が腰ベルト、釣り道具入れなどへ装着し、発生した糸屑をすぐに収納、保持するのに適したものである。
【先行技術文献】
【特許文献】
【０００４】
【特許文献１】特開２０００−２０１６０８号公報
【発明の概要】
【発明が解決しようとする課題】
【０００５】
しかし、特許文献１における釣糸屑入れ容器は、腰ベルトなどへ装着して用いる、という独立した道具となってしまっている。釣り人は、釣りのための道具を数多く装着しており、腰ベルト付近も例外ではない。糸屑を含め、ゴミを収納するという道具を腰ベルト付近へ装着することに対して抵抗感を覚える釣り人は少なくない。  外観スタイルとしても、腰ベルト付近に釣糸屑入れ容器が嵩張っていては、釣りスタイルとしてスマートとは言い難い。
釣糸屑入れ容器を釣り道具入れなどへ装着した場合には、ゴミを収納させるために移動したり、大きな動きを余儀なくされるので、行動としてスマートではない。
【０００６】
本発明が解決しようとする課題は、釣り人の外観や行動のスマートさを保ちつつ、釣糸屑などの小さなゴミを簡単に収納することができる糸屑収納ポケットを提供することにある。
【課題を解決するための手段】
【０００７】
（第一の発明）
第一の発明は、  釣用衣服(60)の表面に開口(21)を有するポケット(20)と、  前記ポケット(20)の内部に配置し、かつ釣糸屑を付着可能な糸屑付着面(31)を有する糸屑付着シート(30)と、を備える。  前記糸屑付着シート(30)は、その一端側を前記ポケット(20)の開口(21)付近へ固定し、前記糸屑付着シート(30)における他端側を反転させて前記ポケット(20)の開口(21)から外へ引っ張り出すことを可能とするように形成した糸屑収納ポケット(10)に係る。
【０００８】
（用語説明）
「釣用衣服(60)」とは、釣人が魚釣り時に着用する衣服であり、例えば、釣用ベスト、釣用ジャケット、釣用パンツ、釣り用雨具などがある。
「ポケット」とは、釣用衣服(60)に予め設けられているポケットを利用することも、あるいは釣用衣服(60)の表面に新たに設けることもできる。なお、ポケット(20)の開口(21)が釣用衣服(60)の表面に位置することで、糸屑付着シート(30)を簡単にポケット(20)の開口(21)から外へ取り出せる。釣糸屑を前記糸屑付着シート(30)へ付着させることが容易となる。  この場合、前記糸屑付着面(31)を前記ポケット(20)の内面（ポケットの内部空間を形成する面）と対向するように配置してもよいし、その逆に、前記糸屑付着面(31)を前記ポケット(20)の内面と対向する面に対して反対側の面に配置してもよい。
「糸屑付着シート(30)」とは、糸屑その他、小さなゴミを表面へ蓄えるのに適したシートである。例えば、面ファスナーにおける「Ｊ字形」の鍵状突起を備えた方のシート、ゲル状態粘着シート、などである。
【０００９】
（作用）
釣人が魚釣りする際、釣糸屑が発生する。釣人はポケット(20)の内部から糸屑付着シート(30)の他端側を反転して前記ポケット(20)の開口(21)から外へ引っ張り出す。その糸屑付着シート(30)の糸屑付着面(31)がポケット(20)の外へ露出するので、釣糸屑を前記糸屑付着面(31)へ簡単に付着することができる。その後、釣人は、手で前記糸屑付着シート(30)をポケット(20)の中へ戻す。この時、糸屑付着シート(30)は、反転する際に生じた反転力も手伝って簡単に元の状態に戻る。
以上のように、本願に係る糸屑収納ポケット(10)を備えた釣用衣服(60)を着用した釣り人は、不要となった釣糸屑を簡単な動作で収納することができる。  本願に係る糸屑収納ポケット(10)は、釣用衣服(60)に収まっており、外観上のスマートさも損なわれない。また、自然環境保全に対する意識向上を図ることに寄与する。
【００１０】
（第一の発明のバリエーション１）
第一の発明は、  前記糸屑付着シート(30)は、前記糸屑付着面(31)が前記ポケット(20)の内面と対向するように配置することとしてもよい。
【００１１】
（作用）
釣りの最中には手が濡れている時間帯が長いため、指がふやけていることが多い。ふやけた指が糸屑付着面(31)で擦られると、不快である。しかし、糸屑付着面(31)がポケット(20)の内面と対向しているので、ポケット(20)の中へ手を差し込んでも、糸屑付着面(31)が指へ触れずに済む。同時に、通常のポケットとしての機能が損なわれない。
【００１２】
（第一の発明のバリエーション２）
第一の発明は、以下のように形成することもできる。
すなわち、  前記糸屑付着シート(30)は、第一の折返し片(32)と第二の折返し片(33)とに折り返して重ね合わせた状態で前記ポケット(20)の内部に配置するとともに、前記第一の折返し片(32)の一端側を前記ポケット(20)の開口(21)付近に固定し、前記糸屑付着面(31)を前記第二の折返し片(33)における重ね合わせ面に設ける。
【００１３】
前記糸屑付着シート(30)が、前記第二の折返し片(33)を前記ポケット(20)の内面と対向する位置に配置する場合も、前記第二の折返し片(33)を前記ポケット(20)の内面と対向する位置に対して反対側に折り返された位置に配置した場合、もある。
【００１４】
（作用）
釣り人は、ポケット(20)の内部から糸屑付着シート(30)を反転して前記ポケット(20)の開口(21)から外へ引っ張り出す。第一の折返し片(32)および第二の折返し片(33)を開口(21)の外へ引っ張り出し、第二の折返し片(33)を第一の折返し片(32)から開く。前記第二の折返し片(33)の糸屑付着面(31)がポケット(20)の外へ大きな自由度を持って露出するため、釣り人が指でつまんだ釣糸屑を前記糸屑付着面(31)へ簡単に付着させることができる。
釣り糸屑を収納したら、第一の折返し片(32)と第二の折返し片(33)とを折り返して重ね合わせてからポケット(20)の中へ戻す。前記糸屑付着面(31)は第一の折返し片(32)と第二の折返し片(33)の間に挟まれて露出しないので、ポケット(20)の中へ指を入れても、糸屑付着面(31)が手に触れない。
【００１５】
（第一の発明のバリエーション３）
第一の発明においては、  前記糸屑付着シート(30)は、前記第二の折返し片(33)を前記ポケット(20)の内面と対向する位置になるように折り曲げて配置することとしてもよい。
【００１６】
（作用）
第二の折返し片(33)がポケット(20)の内面と対向する位置になると、第一の折返し片(32)と第二の折返し片(33)の重ね合わせの一端は、ポケット(20)の開口(21)に露出しない。そのため、ポケット(20)の中へ手を差し込んでも、手が前記重ね合わせの一端に引っ掛かることがない。
【００１７】
（第一の発明のバリエーション４）
第一の発明においては、  前記第一の折返し片(32)における重ね合わせ面に、前記第二の折返し片(33)の糸屑付着面(31)に対して着脱可能な貼付面(34)を配置することとしてもよい。
【００１８】
（作用）
第一の折返し片(32)の貼付面(34)が第二の折返し片(33)の糸屑付着面(31)へ貼り付けられているので、第一の折返し片(32)と第二の折返し片(33)の重ね合わせは簡単に開かない。したがって、第二の折返し片(33)がポケット(20)の内面と対向する面に対して反対側の位置になるように配置した場合は、前記重ね合わせの一端がポケット(20)の開口(21)に露出する。しかし、前記重ね合わせは簡単に開かず、ポケット(20)の中へ指を差し込んでも、手が前記糸屑付着面(31)へ触れることはない。
【００１９】
（第一の発明のバリエーション５）
第一の発明においては、  前記糸屑付着面(31)を、前記第一の折返し片(32)における重ね合わせ面に配置することとしてもよい。
【００２０】
（作用）
糸屑付着面(31)は、第二の折返し片(33)の重ね合わせ面だけでなく、第一の折返し片(32)の重ね合わせ面にも配置されるので、面積が広くなる。そのため、たくさんの釣糸屑を付着することができる。
【００２１】
（第一の発明のバリエーション６）
第一の発明は、以下のように形成することもできる。
すなわち、  前記糸屑付着面(31)は、雄側の面ファスナーとし、前記糸屑付着面(31)は、雄側の面ファスナーとするとともに、前記貼付面(34)は、雌側の面ファスナーとする。
【００２２】
（作用）
糸屑付着面(31)を、雄側の面ファスナーとしたので、釣糸屑が雄側の面ファスナーに絡まって保持されやすくなる。
また、貼付面(34)を雌側の面ファスナーとしたので、第一の折返し片(32)と第二の折返し片(33)との重ね合わせ面を簡単に着脱可能に貼り付けることができる。
【発明の効果】
【００２３】
第一の発明によれば、釣り人の外観や行動のスマートさを保ちつつ、釣糸屑などの小さなゴミを簡単に収納することができる糸屑収納ポケットを提供することができた。
【図面の簡単な説明】
【００２４】
【図１】本発明の実施形態の糸屑収納ポケットを取り付ける釣用衣服を示す斜視図である。
【図２】第一の実施形態の糸屑収納ポケットを示す斜視図である。
【図３】図２に示す糸屑収納ポケットの分解斜視図である。
【図４】（ａ）は、図２のポケットの開口を閉じた状態の斜視図である。（ｂ）は、ポケットの開口から糸屑付着シートを取り出す状態の斜視図である。（ｃ）は、糸屑付着シートを引っ張り出した状態の斜視図である。
【図５】（ａ）は、釣糸屑を糸屑付着シートの糸屑付着面へ付着させる状態の斜視図である。（ｂ）は、（ａ）の後に糸屑付着シートをポケットの内部へ戻す状態の斜視図である。
【図６】第二の実施形態の糸屑収納ポケットを示す斜視図である。
【図７】（ａ）は、図６のポケットの開口を閉じた状態の斜視図である。（ｂ）は、ポケットの開口から糸屑付着シートを取り出す状態の斜視図である。（ｃ）は、糸屑付着シートを引っ張り出した状態の斜視図である。
【図８】（ａ）は、図６において他の形態の糸屑付着シートを備えた状態の斜視図である。（ｂ）は、図６において別の形態の糸屑付着シートを備えた状態の斜視図である。（ｃ）は、図６においてさらに別の形態の糸屑付着シートを備えた状態の斜視図である。
【図９】第三の実施形態の糸屑収納ポケットを示す斜視図である。
【図１０】（ａ）は、図９のポケットの開口を閉じた状態の斜視図である。（ｂ）は、ポケットの開口から糸屑付着シートを取り出す状態の斜視図である。（ｃ）は、糸屑付着シートを引っ張り出した状態の斜視図である。
【図１１】本発明の実施形態の糸屑収納ポケットを取り付ける釣用衣服を示す斜視図である。
【発明を実施するための形態】
【００２５】
以下、本発明の実施形態について図面を参照して説明する。
本実施形態に係る糸屑収納ポケット１０は、図１や図１１（ａ）に示すような釣用ベスト４０ａなどの釣用衣服４０に設けられる。釣用衣服４０は、釣人が魚釣り時に装着する衣服である。例えば、釣用ベスト４０ａ、釣用ジャケット、釣用スーツなどがある。
図２に示す第一の実施形態に係る糸屑収納ポケット１０は、釣用衣服４０の表面に開口２１を有するポケット２０と、前記ポケット２０の内部に配置した糸屑付着シート３０と、を備えている。なお、糸屑付着シート３０は、釣糸屑を付着可能な糸屑付着面３１を有するシートである。
【００２６】
前記糸屑付着シート３０は、その一端側（図２において右側の一端）を前記ポケット２０の開口２１付近に固定している。また、前記糸屑付着シート３０の他端側は固定せず、フリーな状態である。つまり、釣糸屑を糸屑付着シート３０の糸屑付着面３１に付着する際に、糸屑付着シート３０の他端側を反転してポケット２０の開口２１から外へ引っ張り出すことを可能としている。
【００２７】
前記ポケット２０としては、釣用衣服４０に予め設けられているポケットを利用することができ、あるいは釣用衣服４０の表面に新たに設けることもできる。なお、ポケット２０の開口２１が釣用衣服４０の表面に位置することによって、糸屑付着シート３０が釣用衣服４０の外へ引き出されるので、その糸屑付着シート３０の糸屑付着面３１へ釣糸屑を容易に付着することができる。
【００２８】
本実施形態では、図２および図３に示すように、釣用ベスト４０ａに備えているポケット４１の表面に、新たに設けた糸屑収納ポケット１０を一例として説明する。
ポケット２０は、図３に示すように、釣用衣服４０のポケット４１の生地へ縫付けて固定する。ポケット２０の開口２１は、図３において右側に位置している。この時、糸屑付着シート３０は、図２および図３において右端が前記ポケット２０の開口２１付近に位置するように、釣用衣服４０のポケット４１の生地へ縫付けて固定する。なお、ポケット２０の開口２１は、開閉可能に閉じるための固定具２２を取り付けている。本実施形態では、簡単に開閉できるように面ファスナー２２ａを固定具２２として使用している。なお、固定具２２としては、ボタン、チャックなど、他の形態であってもよく、特に限定されない。
【００２９】
また、本実施形態では、前記糸屑付着シート３０の糸屑付着面３１としては、雄側（フック形状）の面ファスナー３１ａを使用している。この面ファスナー３１ａは、軽くてカール状になっている釣糸屑であっても容易に雄側（フック形状）の面ファスナー３１ａへ付着することができる。また、付着した釣糸屑を簡単に除去することもできる。
また、本実施形態では、前記糸屑付着シート３０は、図３に示すように、前記糸屑付着面３１がポケット２０の内面と対向するように取り付けている。
【００３０】
次に、第一の実施形態における作用について説明する。
釣人が魚釣りする際には、釣糸が絡まったり、切れたり、劣化したりすることによって、補修するために、釣糸屑が発生する。釣人は、前記釣糸屑を糸屑付着シート３０の糸屑付着面３１に付着させて持ち帰る。釣人は、図４（ａ）のポケット２０の開口２１を開けて、図４（ｂ）に示すように、ポケット２０の内部へ手を差し込む。次いで、糸屑付着シート３０の図４（ｂ）において左端側を手で掴んで反転し、図４（ｃ）に示すように、前記糸屑付着シート３０をポケット２０の開口２１から外へ引っ張り出す。前記糸屑付着シート３０の糸屑付着面３１がポケット２０の外へ露出する。しかも、前記糸屑付着シート３０が反転して糸屑付着面３１が釣人の身体に対して外側に向く。したがって、図５（ａ）や図１１（ｂ）に示すように、釣糸屑を前記糸屑付着面３１へ簡単に付着することができる。
その後、前記糸屑付着シート３０をポケット２０の中へ戻す。この時、釣人は、図５（ｂ）に示すように、反転している糸屑付着シート３０において糸屑付着面３１とは反対面に手を差し込んでポケット２０の内部へ押し込んでゆく。糸屑付着シート３０は、反転する際に生じた反転力も手伝って簡単に元の状態に戻る。
【００３１】
糸屑付着シート３０は、前記糸屑付着面３１がポケット２０の内面と対向するように取り付けているので、釣人の手が前記糸屑付着面３１に触れないように扱うことができる。  すなわち、釣りの最中には指先が濡れていることが多く、乾いた状態よりもふやけている。そうした指が糸屑付着面３１で擦られると、不快である。しかし、前記糸屑付着面３１がポケット２０の内面と対向しているので、ポケット２０の中へ手を差し込んでも、手が糸屑付着面３１に触れない。そのため、手の表面が損傷することを避けることができる。また、ハサミやカッターなどのような釣用の小道具を入れても、通常のポケット２０としての機能が損なわれない。
【００３２】
以上のように、釣り人は、不要となった釣糸屑を簡単な動作で、糸屑収納ポケット１０へ一時的に収納することができる。そのため、自然環境保全に対する意識向上をさらに図ることに寄与する。
【００３３】
なお、本発明の糸屑収納ポケット１０において、糸屑付着シート３０は、前述のように糸屑付着面３１がポケット２０の内面と対向するように取り付けることが望ましいが、それとは逆に、前記糸屑付着面３１がポケット２０の内面と対向する面に対して反対側の面に位置するように取り付ける場合も、本発明の適用範囲に含まれる。
【００３４】
次に、第二の実施形態について、第一の実施形態と異なる点を説明する。他は同様であるので詳しい説明は省略する。
例えば、第一の実施形態では、糸屑付着シート３０は、ポケット２０の面積より小さい。しかし、糸屑付着シート３０をポケット２０の面積より大きくしても、折り返した状態でポケット２０の内部に配置することで、本願発明の趣旨は達成できる。
【００３５】
第二の実施形態では、図６に示すように、前記糸屑付着シート３０は、第一の折返し片３２と第二の折返し片３３に折り返して重ね合わせた状態で、ポケット２０の内部へ配置する。さらに、前記第一の折返し片３２の一端側（図６において右側の一端）をポケット２０の開口２１付近に固定する。また、糸屑付着面３１は、第二の折返し片３３における重ね合わせ面に形成している。そのため、糸屑付着面３１は、ポケット２０の内部にあって露出しない。
この場合、図６に示すように、前記糸屑付着シート３０は、前記第二の折返し片３３をポケット２０の内面と対向する位置になるように折り曲げて配置する。
【００３６】
第二の実施形態では、第一の折返し片３２には、第二の折返し片３３との重ね合わせ面に、幾通りかの形態の面形状を形成することができる。
例えば、図７（ｃ）に示すように、第一の折返し片３２の重ね合わせ面には、何も形成していない。
あるいは、図８（ａ）に示すように、第一の折返し片３２の重ね合わせ面には、前記第二の折返し片３３の糸屑付着面３１に対して着脱可能な貼付面３４を配置することができる。前記貼付面３４としては、雄側（フック形状）の面ファスナー３１ａに対して着脱可能な雌型（ループ形状）を形成した面ファスナー３４ａとすることができる。
この場合、第二の折返し片３３の糸屑付着面３１が第一の折返し片３２の貼付面３４に付着し、前記重ね合わせ面が確実に重ね合わされる。
【００３７】
あるいは、図８（ｂ）に示すように、第一の折返し片３２の重ね合わせ面に、前記第二の折返し片３３の糸屑付着面３１に対して着脱可能な貼付面３４を、面積を小さくして部分的に配置することができる。前記貼付面３４としては、図８（ａ）と同様に、雌型（ループ形状）を形成した面ファスナー３４ａとすることができる。
この場合、第二の折返し片３３の糸屑付着面３１が第一の折返し片３２の貼付面３４に付着し、前記重ね合わせ面が確実に重ね合わされる。しかも、貼付面３４が部分的なので、図８（ａ）の場合より付着力が弱いので、逆に剥がしやすくなる。
【００３８】
あるいは、図８（ｃ）に示すように、第一の折返し片３２の重ね合わせ面に、前記第二の折返し片３３の重ね合わせ面と同様に、例えば、雄側（フック形状）の面ファスナー３１ａなどの糸屑付着面３１を配置することができる。
この場合、糸屑付着面３１が、第二の折返し片３３だけでなく、第一の折返し片３２も加えられるので、さらに多くの釣糸屑を収納することができる。
【００３９】
次に、第二の実施形態における作用について説明する。
釣糸屑が発生すると、釣人は、図７（ａ）のポケット２０の開口２１を開けて、図７（ｂ）に示すように、ポケット２０の内部へ手を差し込む。次いで、糸屑付着シート３０の図７（ｂ）において左端側の折返し線３５の付近を手で掴んで反転し、前記糸屑付着シート３０をポケット２０の開口２１から外へ引っ張り出す。さらに、図７（ｃ）に示すように、第二の折返し片３３を第一の折返し片３２から開く。第一の折返し片３２も外へ引っ張り出されるので、第二の折返し片３３の糸屑付着面３１がポケット２０の外へ大きな自由度を持って露出するため、釣糸屑を前記糸屑付着面３１へ簡単に付着することができる。
その後、第二の折返し片３３を第一の折返し片３２へ折り返して重ね合わせてからポケット２０の中へ戻す。この時、前記糸屑付着シート３０は、反転する際に生じた反転力も手伝って簡単に元の状態に戻る。
【００４０】
前記糸屑付着面３１は第一の折返し片３２と第二の折返し片３３の間に挟まれて露出しないので、ポケット２０の中へ指を差し込んでも、前記糸屑付着面３１が指に触れない。さらに、第二の折返し片３３が、第一の折返し片３２およびポケット２０の内面との間に位置するので、第一の折返し片３２と第二の折返し片３３の重ね合わせの一端（図６において右端）が、ポケット２０の開口２１に露出しない。したがって、ポケット２０の中へ指を差し込んでも、その指が前記重ね合わせの一端に引っ掛かることがない。
【００４１】
次に、第三の実施形態について、第二の実施形態と異なる点を説明する。他は同様であるので詳しい説明は省略する。
例えば、第三の実施形態では、糸屑付着シート３０をポケット２０の面積より大きくし、折り返した状態でポケット２０の内部に配置する点で、第二の実施形態と同様である。すなわち、図９に示すように、前記糸屑付着シート３０は、第一の折返し片３２と第二の折返し片３３に折り返して重ね合わせた状態で、前記ポケット２０の内部へ配置する。さらに、前記第一の折返し片３２の一端側（図９において右側の一端）をポケット２０の開口２１付近に固定する。前記糸屑付着面３１は、前記第二の折返し片３３における重ね合わせ面に形成している。そのため、糸屑付着面３１は、ポケット２０の内部にあって露出しない。
しかし、第三の実施形態では、第一の折返し片３２と第二の折返し片３３に折り返す方向が、第二の実施形態とは異なる。すなわち、図９に示すように、第二の実施形態とは逆に、前記糸屑付着シート３０は、前記第二の折返し片３３をポケット２０の内面と対向する面に対して反対側へ折り返した位置になるように配置する。
【００４２】
なお、第三の実施形態では、第一の折返し片３２には、第二の折返し片３３との重ね合わせ面に、幾通りかの形態の面形状を形成することができる。第二の実施形態と同様であるので詳しい説明は省略する。
【００４３】
次に、第三の実施形態における作用について説明する。
釣糸屑が発生すると、釣人は、図１０（ａ）のポケット２０の開口２１を開けて、図１０（ｂ）に示すように、ポケット２０の内部へ手を差し込む。次いで、糸屑付着シート３０の図１０（ｂ）において左端側の折返し線３５を指でつまんで反転し、前記糸屑付着シート３０をポケット２０の開口２１から外へ引っ張り出す。さらに、図１０（ｃ）に示すように、第二の折返し片３３を第一の折返し片３２から開く。第一の折返し片３２も外へ引っ張り出されるので、第二の折返し片３３の糸屑付着面３１がポケット２０の外へ大きな自由度を持って露出するため、釣糸屑を前記糸屑付着面３１へ簡単に付着することができる。
その後、第二の折返し片３３を第一の折返し片３２へ折り返して重ね合わせてからポケット２０の中へ戻す。この時、前記糸屑付着シート３０は、反転する際に生じた反転力も手伝って簡単に元の状態に戻る。
【００４４】
前記糸屑付着面３１は第一の折返し片３２と第二の折返し片３３の間に挟まれるので、ポケット２０の中へ指を差し込んでも、前記糸屑付着面３１が指に触れない。さらに、第二の折返し片３３が、第一の折返し片３２とポケット２０の内面と対向する面に対して反対側へ折り返した位置になるので、第一の折返し片３２と第二の折返し片３３の重ね合わせの一端（図９において右端）は、ポケット２０の開口２１側に露出する。しかし、ポケット２０の中へ指を差し込む時、その指が前記重ね合わせの一端に引っ掛かるとしても、前述のように、糸屑付着面３１が第一の折返し片３２と第二の折返し片３３の重ね合わせ面内にあるので、ポケット２０の内部にあって露出しない。
【産業上の利用可能性】
【００４５】
本発明は、釣用衣服を含むアウトドアウェアの製造業、販売業またはレンタル業、アウトドアスポーツのインストラクター事業などにおいて、利用可能性を有する。
【符号の説明】
【００４６】
１０；  糸屑収納ポケット
２０；  ポケット                          ２１；  開口
２２；  固定具                            ２２ａ；  面ファスナー
３０；  糸屑付着シート                  ３１；  糸屑付着面
３２；  第一の折返し片                    ３３；  第二の折返し片
３４；  貼付面                            ３４ａ；  面ファスナー
３５；  折返し線
４０；  釣用衣服                          ４０ａ；  釣用ベスト
４１；  ポケット
【図１】
2015010306.tif 000003
【図２】
2015010306.tif 000004
【図３】
2015010306.tif 000005
【図４】
2015010306.tif 000006
【図５】
2015010306.tif 000007
【図６】
2015010306.tif 000008
【図７】
2015010306.tif 000009
【図８】
2015010306.tif 000010
【図９】
2015010306.tif 000011
【図１０】
2015010306.tif 000012
【図１１】
2015010306.tif 000013